(57)【要約】    【課題】  レーザを適正な光量で駆動し得る安価なレーザ駆動装置を提供する。    【解決手段】  レーザ駆動用の画像処理部（ＰＷＭ信号生成部等）が形成された集積回路のＩ／Ｏポートを介してレーザ駆動電流を制御する。すなわち、適正な光量でレーザを駆動するレーザドライバＩＣの機能を、レーザ駆動用の画像処理ＬＳＩ上でデジタル構成の等価回路により実現し、画像処理ＬＳＩの複数のポートを利用して所望の駆動電流をレーザに供給する。【選択図】      図１
2006110801.tif 000002
【特許請求の範囲】
【請求項１】
レーザ光をＯＮ／ＯＦＦするパルス信号を画像データに基づいて生成する生成手段が少なくとも形成された集積回路の複数の入出力ポートにそれぞれ抵抗器を外付けし、
前記入出力ポート、抵抗器を介してレーザ光発光手段に駆動電流を供給する電流供給制御手段を前記集積回路内に形成し、
前記電流供給制御手段は、前記複数の入出力ポートに出力する電流をそれぞれＯＮ／ＯＦＦする複数のスイッチング手段と、
前記複数のスイッチング手段に前記電流のＯＮ／ＯＦＦを行うための信号をそれぞれ出力する信号出力手段と、
を有することを特徴とするレーザ駆動装置。
【請求項２】
前記複数の抵抗器の抵抗値は、所定の倍率比に設定されていることを特徴とする請求項１に記載のレーザ駆動装置。
【請求項３】
前記信号出力手段は、所定のクロック信号に基づいてカウント動作を行うカウンタのカウント値に係るビット信号と、前記レーザ光発光手段に供給するオフセット電流を制御する複数の制御信号を、前記複数のスイッチング手段に振り分けて出力することを特徴とする請求項１に記載のレーザ駆動装置。
【請求項４】
前記レーザ発光手段の光量を検知する検知手段を前記集積回路の外部に有し、前記カウンタは、該検知手段により検知された光量の増減に応じて所定のクロック信号に基づくカウントアップ動作、又はカウントダウン動作を行うことを特徴とする請求項３に記載のレーザ駆動装置。
【発明の詳細な説明】
【技術分野】
【０００１】
本発明は、レーザ駆動装置に関し、特に画像データによって変調されたレーザ光を感光体上で走査することにより画像を形成する画像形成装置で使用されるレーザ駆動装置に関する。
【背景技術】
【０００２】
図４は、複写機、プリンタ等に適用される従来のレーザ駆動装置の構成を示す図である（特許文献１参照）。図４において、１０１は、画像処理ＬＳＩである。１０２は、レーザドライバＩＣである。１０３は、５Ｖ出力レギュレータである。１０４は、半導体レーザ部であり、レーザダイオードＬＤと、このレーザダイオードＬＤの光量を検出するためのフォトダイオードＰＤを有している。レーザドライバＩＣ１０２には、画像処理ＬＳＩ１０１にて画像データを基に生成されたパルス等が入力される。
【０００３】
画像処理ＬＳＩ１０１には、インターフェース制御部１０５、パルス生成部１０６、レーザ制御信号生成部１０７が形成されている。インターフェース制御部１０５は、外部装置から入力された画像生成スタート信号に応答して、主走査同期をカウントすることにより所定のタイミングで画像要求信号を返信する。パルス生成部１０６は、画像要求信号に応答して外部装置から送信されてきた画像データに基づいてＰＷＭ信号（パルス幅変調信号）を生成し、レーザドライバＩＣ１０２に出力する。レーザ制御信号生成部１０７は、主走査同期信号を基準としてシステムクロックをカウントすることにより、レーザダイオードＬＤの光量制御期間を指定するＡＰＣ信号と、光量制御時のフィードバックループの形成期間を指定するサンプルホールド信号を生成し、レーザドライバＩＣ１０２に出力する。
【０００４】
レーザドライバＩＣ１０２は、ＯＲゲート１０８、駆動電流ＯＮ／ＯＦＦ制御回路１０９、駆動電流源１１０、基準電圧源１１１、コンパレータ１１２、及びサンプルホールド制御回路１１３を有し、電流／電圧変換用の可変抵抗器１１４とホールド用コンデンサ１１５が外付けされている。
【０００５】
ＯＲゲート１０８は、パルス生成部１０６からのＰＷＭ信号とレーザ制御信号生成部１０７からのＡＰＣ信号との論理和を駆動電流ＯＮ／ＯＦＦ制御部１０９に出力する。駆動電流ＯＮ／ＯＦＦ制御部１０９は、ＯＲゲート１０８の出力信号がハイレベルの時にＯＮ状態となり、ローレベルの時にＯＦＦ状態となる。また、半導体レーザ部１０４のレーザダイオードＬＤは、駆動電流ＯＮ／ＯＦＦ制御部１０９がＯＮ状態の時に、駆動電源部１１０からの電力が供給されて点灯し、ＯＦＦ状態の時は消灯する。
【０００６】
サンプルホールド制御回路１１３は、レーザ制御信号生成部１０７からのサンプルホールド信号がハイレベルの時にＯＮ状態となる。サンプルホールド制御回路１１３がＯＮ状態になると、光量制御のフィードバックループが形成され、フォトダイオードＰＤにて検知された光量の大きさに応じてレーザダイオードＬＤに流れる電流量が制御される。
【０００７】
すなわち、レーザダイオードＬＤが発光するレーザ光は、フォトダイオードＰＤに入射されて光電変換され、その電流は電流／電圧変換用の可変抵抗器１１４により電圧に変換されてコンパレータ１１２に入力されて、基準電圧源１１１からの基準電圧と比較される。コンパレータ１１２は、レーザダイオードＬＤの光量を反映した電圧が基準電圧より高い場合は、ローレベルを出力し、低い場合はハイレベルを出力し、ホールド用コンデンサ１１５の充放電を行う。サンプルホールド信号がローレベルになると、サンプルホールド制御回路１１３がＯＦＦ状態になり、ホールド用コンデンサ１１５の電圧レベルが保持され、駆動電源部１１０は、保持された電圧レベルに応じてレーザダイオードＬＤを駆動する電流量、すなわち光量（レーザパワー）を決定する。
【０００８】
図５は、図４のレーザ駆動装置が適用された複写機、或いはプリンタにおけるレーザスキャナの構成を示している。図５において、２０１は、画像データ処理ユニットであり、図４の画像処理ＬＳＩ１０１が実装されている。２０２は、レーザドライバユニットであり、図４のレーザドライバＩＣ１０２、５Ｖレギュレータ１０３、及び半導体レーザ部１０４が実装されている。    
【０００９】
２０３は、コリメータレンズであり、半導体レーザ部１０４から照射されるレーザビームを平行光に収束させる。２０４は、ポリゴンミラーであり、モータ（図示書略）によって矢印方向に回転されることにより、レーザビームを反射して走査させる。２０５は感光ドラムであり、ポリゴンミラー２０４で走査されるレーザビームを受光し、その面上に静電潜像を形成する。この際、感光ドラム２０５は、矢印方向に回転されながらレーザビームが照射される。２０６は、ｆθレンズであり、感光ドラム２０５上のレーザビームの走査速度が中央部から端部まで等しくなるように、ポリゴンミラー２０４からのレーザビームを偏向する。
【００１０】
感光ドラム２０５の一端部には画像形成の基準マーク２０７が形成されており、センサ２０８は、この基準マーク２０７を検知することにより、画像生成スタート信号を画像データ処理ユニット２０１内のインターフェース制御部１０５出力する（図４参照）。センサ２０９は、感光ドラム２０５を露光走査するレーザビームの主走査ラインの延長線上に設置されており、レーザビームを検知する毎に主走査同期信号を画像データ処理ユニット２０１内のインターフェース制御部１０５とレーザ制御信号生成部１０７に出力する（図４参照）。
【００１１】
図６（Ａ）は、画像生成スタート信号、主走査同期信号、画像要求信号の関係を巨視的に示したタイミングチャートである。
【００１２】
画像生成スタート信号、主走査同期信号は、上記のようにして出力されるが、画像要求信号は、次のようにして出力される。すなわち、画像データ処理ユニット２０１に実装されている画像処理ＬＳＩ１０１内のインターフェース制御部１０５は、画像生成スタート信号を基準として主走査同期信号をカウントしていくことにより、所定時間Ｔ１経過後に外部装置へ画像要求信号を出力する。外部装置は、画像要求信号が入力されると主走査同期信号をカウントし、所定時間Ｔ２経過後に画像データを出力し始める。その後、所定時間Ｔ３までの期間が画像データの出力可能期間、すなわち感光ドラム２０５上の有効画像期間となる。
【００１３】
図６（Ｂ）は、主走査同期信号、画像データ、ＡＰＣ信号、サンプルホールド信号の関係を微視的に示したタイミングチャートである。図４の画像処理ＬＳＩ１０１内のレーザ制御信号生成部１０７は、主走査同期信号を受信すると、光量制御期間を指定するＡＰＣ信号と、光量制御時のフィードバックループの形成期間を指定するサンプルホールド信号をレーザドライバＩＣ１０２に出力する。
【００１４】
この場合、図６（Ｂ）に示したように、レーザ制御信号生成部１０７は、１つ前の主走査同期信号の立下り時点から所定期間Ｔ５が経過した時点で次のＡＰＣ信号を立ち上げ、次の主走査同期信号の立下り時点から所定時間Ｔ６が経過した時点で当該ＡＰＣ信号を立ち下げるように制御する。
【００１５】
また、レーザ制御信号生成部１０７は、サンプルホールド信号のパルスがＡＰＣ信号のパルスの内側にくるように制御する。これは、ＡＰＣ信号がディセーブル状態でレーザダイオードオードＬＤが消灯しているときにサンプルホールド信号がイネーブルとなって、フィードバックループが組まれてしまうと、駆動電流源１１０によるレーザダイオードＬＤへの電流設定が、ホールド用コンデンサ１１５の過剰充電によって過大に設定されてしまって、レーザダイオードＬＤが破壊されるのを防止するためである。
【００１６】
外部装置は、主走査同期信号を基準として所定期間Ｔ４が経過した時点で、１主走査ライン分の画像データを出力し始める。この画像データは、画像処理ＬＳＩ１０１内のパルス生成部１０６により、レーザダイオードＬＤを発光するためのパルス信号（ＰＷＭ信号：パルス幅変調信号）に変換された後、レーザドライバＩＣ１０２に出力される。レーザドライバＩＣ１０２は、パルス生成部１０６からのＰＷＭ信号に基づいてレーザダイオードＬＤを駆動制御することにより、画像データに基づいて変調されたレーザビームによる静電潜像を感光ドラム２０５上に形成する。
【特許文献１】特許第０３３３２９１６号
【発明の開示】
【発明が解決しようとする課題】
【００１７】
しかしながら、上述のレーザ駆動装置の構成は、画像処理ＬＳＩ１０１とは別個にレーザドライバＩＣ１０２を設けており、さらに、レーザドライバＩＣ１０２への５Ｖ電源供給用のレギュレータ１０３も設けられており、コストアップとなっていた。
【００１８】
そこで、本発明は、レーザを適正な光量で駆動し得る安価なレーザ駆動装置を提供することを目的とする。
【課題を解決するための手段】
【００１９】
上記目的を達成するため、本発明は、レーザ光をＯＮ／ＯＦＦするパルス信号を画像データに基づいて生成する生成手段が少なくとも形成された集積回路の複数の入出力ポートにそれぞれ抵抗器を外付けし、前記入出力ポート、抵抗器を介してレーザ光発光手段に駆動電流を供給する電流供給制御手段を前記集積回路内に形成し、前記電流供給制御手段は、前記複数の入出力ポートに出力する電流をそれぞれＯＮ／ＯＦＦする複数のスイッチング手段と、前記複数のスイッチング手段に前記電流のＯＮ／ＯＦＦを行うための信号をそれぞれ出力する信号出力手段と、を有している。
【発明の効果】
【００２０】
本発明によれば、レーザ駆動用の画像処理部（ＰＷＭ信号生成部等）が形成された集積回路のＩ／Ｏポートを介して、適正な光量でレーザを駆動するためのレーザ駆動電流を制御するようにしたので、レーザを適正な光量で駆動し得る安価なレーザ駆動装置を提供することが可能となる。
【発明を実施するための最良の形態】
【００２１】
図１は、本発明の実施の形態に係るレーザ駆動装置の概略構成を示すブロック図である。図４に示した従来例のレーザ駆動装置と同一の構成要素には同一番号を割り当ててあり、それら構成要素の動作説明は省略する。
【００２２】
図１において、１はレーザドライバ回路内蔵画像処理ＬＳＩであり、従来例のレーザ駆動装置のレーザドライバＩＣ１０２と等価な動作を行うデジタル回路を、従来の画像処理ＬＳＩ１０１に組み込んだものである。
【００２３】
図１において、２はレーザ制御信号生成部であり、従来のレーザ制御信号生成部１０７と同様にＡＰＣ信号、サンプルホールド信号を出力すると共に、レーザダイオードＬＤに供給するオフセット電流を制御するオフセット電流制御信号（０）、オフセット電流制御信号（１）、オフセット電流制御信号（２）、及びカウンタリセット信号を出力する。
【００２４】
３はカウンタであり、サンプルホールド信号がハイレベルの状態で、ＵＰ／ＤＯＷＮ入力端子の入力信号がローレベルの時は、システムクロックが立ち上がる毎にカウントアップ動作を行い、ＵＰ／ＤＯＷＮ入力端子の入力信号がハイレベルの時は、システムクロックが立ち上がる毎にカウントダウン動作を行う。カウンタ３のカウンタ値のＭＳＢ〜ＬＳＢには、出力ビット端子Ｑ７〜Ｑ０が割り当てられている。このカウンタ３のカウント値は、後述するように、レーザダイオードＬＤの駆動電流を調整するために利用される。  
【００２５】
４０〜４７、５０〜５２は、２入力ＡＮＤゲートであり、これら２入力ＡＮＤゲート４０〜４７，５０〜５２の一方の入力端子は、全てＯＲゲート１０８の出力端子に接続されている。また、２入力ＡＮＤゲート４０〜４７の他方の入力端子は、カウンタ３の出力ビット端子Ｑ０〜Ｑ７にそれぞれ接続され、２入力ＡＮＤゲート５０〜５２の他方の入力端子には、オフセット電流制御信号（０）、オフセット電流制御信号（１）、オフセット電流制御信号（２）がそれぞれ入力される。なお、オフセット電流制御信号（０）、オフセット電流制御信号（１）、オフセット電流制御信号（２）は、レーザダイオードＬＤに供給するオフセット電流（０），（１），（２）を規定する信号である。
【００２６】
６０〜６７、７０〜７２はトライステート反転バッファであり、それらの入力端子は２入力ＡＮＤゲート４０〜４７，５０〜５２の出力端子にそれぞれ接続され、それらの出力端子はレーザドライバ回路内蔵画像処理ＬＳＩ１の複数のポートにそれぞれ接続されている。これらトライステート反転バッファ６０〜６７，７０〜７２は、その入力信号がハイレベルのときは、ゲートがＯＮとなってロード状態となり、ハイレベルの入力信号を反転してローレベルの信号を対応するポートに出力し、入力信号がローレベルのときは、ゲートがＯＦＦとなって対応するポートはフローティング状態となる。
【００２７】
８０〜８７、９０〜９２は抵抗器であり、それらの一端は、トライステート反転バッファ６０〜６７，７０〜７２が接続されているポートにそれぞれ接続され、他端は、全てレーザダイオードＬＤのカソードに接続されている。抵抗器８６〜８０の抵抗値は、順次、抵抗器８７の抵抗値の２倍、４倍、８倍、１６倍、３２倍、６４倍、１２８倍といった２倍の倍率比で重み付けするように設定されている。        
【００２８】
これにより、トライステート反転バッファ６０〜６７がロード状態の場合に、各抵抗器８０〜８７に流れる電流が重み付けされ、抵抗器８０に流れる電流Ｉを最小分解能として、カウンタ３の出力値に応じて「０×Ｉ」〜「２５５×Ｉ」までの２５６レベルのレーザ駆動電流（すなわち光量）を設定することができる。
【００２９】
９０〜９２は、レーザ駆動電流のオフセット量を設定するための抵抗器であり、このオフセット量は、オフセット電流制御信号（０）、オフセット電流制御信号（１）、オフセット電流制御信号（２）がそれぞれ抵抗器９０〜９２にロードされることにより設定される。
【００３０】
１０はバッファであり、レーザダイオードＬＤの光量を反映したフォトダイオードＰＤからの電流を、電流／電圧変換用の可変抵抗器１１４で電圧に変換した際の電圧が入力される。このバッファ１０は、３．３Ｖの電源電圧に対して、その中間レベルである１．６５Ｖの入力閾値を有しており、この入力閾値より入力電圧が高いときはハイレベルの信号を、低いときはローレベルの信号をカウンタ３のＵＰ／ＤＯＷＮ入力端子に出力する。
【００３１】
この場合、カウンタ３は、上記のようにＵＰ／ＤＯＷＮ入力端子の入力信号がローレベルのときは、アップカウント動作を行い、ハイレベルのときは、ダウンカウンタト動作を行うので、結局、レーザダイオードＬＤの発光強度が強い場合は、レーザダイオードＬＤの駆動電流が低減され、レーザダイオードＬＤの発光強度が弱い場合は、レーザダイオードＬＤの駆動電流が増大されることとなる。なお、レーザドライバ回路内蔵画像処理ＬＳＩ１において、外部装置からの画像データの取り込み期間、レーザビームの光量制御期間は、従来例と同様である。
【００３２】
８入力ＯＲゲート１１と８入力ＡＮＤゲート１２には、それぞれカウンタ３の８ビットのＱ出力が入力される。８入力ＯＲゲート１１は、その出力を駆動電流可変判断信号（０）としてレーザ制御信号生成部２に出力し、８入力ＡＮＤゲート１２は、その出力を駆動電流可変判断信号（１）として、レーザ制御信号生成部２に出力する。
【００３３】
レーザ制御信号生成部２は、８入力ＯＲゲート１１からの駆動電流可変判断信号（０）に基づいて、所定のオフセット電流制御信号（０）、オフセット電流制御信号（１）、オフセット電流制御信号（２）の信号レベルを変化させ、８入力ＡＮＤゲート１２からの駆動電流可変判断信号（１）に基づいて、カウンタリセット信号をカウンタ３に出力する。
【００３４】
このような構成の下で、ＡＰＣ信号がハイレベルの期間中（光量制御期間中）に光量制御が実行され、レーザダイオードＬＤの適正光量が決定されると、その適正光量に係るオフセット電流制御信号（０），（１），（２）と、カウンタ３のカウンタ値が、次の光量制御期間で適正光量が決定されるまで固定される。
【００３５】
そして、画像データに基づいて生成されたＰＷＭ信号がハイレベルとなっているときに、カウンタ３のハイレベルとなっているＱ出力（Ｑ０〜Ｑ７）に対応する抵抗器８０〜８７からの電流と、ハイレベルになっているオフセット電流制御信号（０）、オフセット電流制御信号（１）、オフセット電流制御信号（２）に対応する抵抗器９０〜９２からの電流が重畳されてレーザダイオードＬＤに供給され、適正光量のレーザビーム（画像光）により、感光ドラム上に静電潜像が形成される。
【００３６】
次に、本実施の形態におけるレーザ駆動電流の設定方法の概要を、図２に基づいて説明する。
【００３７】
なお、図２に示したオフセット電流（０），（１），（２）は、それぞれオフセット電流制御信号（０），（１），（２）により抵抗器９０〜９２に流れる電流を示している。
【００３８】
制御対象のレーザダイオードＬＤが常温環境下にあるとき、図２の実線の光量特性となる場合、オフセット電流制御信号（０）とオフセット電流制御信号（１）をハイレベルとし、ＡＰＣ信号又はパルス信号がハイレベルのときに抵抗器９０，９１にオフセット電流（０），（１）が流れるようにし、これらオフセット電流（０），（１）に、光量制御によってカウンタ３の出力ビットにより選択された抵抗器８０〜８７の何れかに流れる電流が重畳されて、目標光量（適正光量）が設定される。  
【００３９】
この状態から、例えば周囲温度が変動した場合、レーザダイオードＬＤの光量特性は、実線の特性から左右にシフトする。これらの場合、常温の設定からオフセット電流（１）を差し引く、或いはオフセット電流（２）を加えるといったオフセット電流の設定変更、及びカウンタ３のビット出力に応じた可変電流の設定変更により、環境変化に対応することができる。
【００４０】
次に、環境温度変化に応じたレーザ駆動電流の詳細な設定方法を、図３のタイミングチャートに基づいて説明する。なお、図３に示したオフセット光量（０），（１）は、それぞれオフセット電流制御信号（０），（１）により抵抗器９０，９１に流れるオフセット電流（０），（１）に対応するレーザダイオードＬＤの光量を示している。
【００４１】
図３の光量制御期間Ａより前の光量制御期間では、ハイレベルのオフセット電流制御信号（０）に係るオフセット光量（０）と、カウンタ３のビット出力に応じた可変電流に係る光量とで、目標光量を維持できていたとする。
【００４２】
その状態で、環境温度が上がると、図２に示したようにレーザダイオードＬＤの光量が減少して目標光量を維持することができなくなる。そこで、目標光量を維持すべくカウンタ３によるカウントアップ動作を行って可変電流を徐々に増やしていくが、カウンタ３の出力値が最大値の「２５５」に達して辛うじて目標光量を維持することができる光量制御期間Ａのような状態となったとする。
【００４３】
この光量制御期間Ａにおいて、カウンタ３の出力値が最大値の「２５５」になると、８入力ＡＮＤゲート１２は、その出力信号である駆動電流可変制御信号（１）をハイレベルとする（時刻Ｔ１０）。レーザ制御信号生成部２は、駆動電流可変制御信号（１）がハイレベルに変化すると、次のＡＰＣ信号（光量制御期間Ｂ）の立ち上がり時に、カウンタリセット信号を出力してカウンタ３のカウンタ値を「０」にリセットすると共に、オフセット電流制御信号（１）をハイレベルとする。
【００４４】
これにより、時刻Ｔ１１のサンプルホールド信号の立ち上がり時点から、カウンタ３のカウント値が「０」からインクリメントされていき、レーザビーム光量は、オフセット電流制御信号（１）に係るオフセット光量（１）とオフセット光量（０）とが加算された光量を基準として、カウンタ３のビット出力に応じた可変電流による光量が加算されていき、目標光量に達することとなる（時刻Ｔ１２）。
【００４５】
この光量制御期間Ｂの状態から環境温度が下がっていくと、図２に示したようにレーザダイオードＬＤの光量が増大して目標光量を維持することができなくなる。そこで、目標光量を維持すべくカウンタ３によるカウントダウン動作を行って可変電流を徐々に減らしていくが、カウンタ３の出力値が最小値の「０」にならなければ目標光量を維持することができない光量制御期間Ｃのような状態となったとする。
【００４６】
この光量制御期間Ｃにおいて、カウンタ３の出力値が最小値の「０」になると、８入力ＯＡゲート１１は、その出力信号である駆動電流可変判断信号（０）をローレベルとする（時刻Ｔ１３）。レーザ制御信号生成部２は、駆動電流可変制御信号（０）がローレベルに変化すると、次のＡＰＣ信号（光量制御期間Ｄ）の立ち上がり時に、オフセット電流制御信号（１）をローレベルとする。
【００４７】
これにより、時刻Ｔ１４のサンプルホールド信号の立ち上がり時点から、カウンタ３のカウント値が「０」からインクリメントされていき、レーザビーム光量は、オフセット電流制御信号（０）に係るオフセット光量（０）を基準として、カウンタ３のビット出力に応じた可変電流による光量が加算されていき、目標光量に達することとなる（時刻Ｔ１５）。
【００４８】
このように、目標光量を実現すべく常温に対して設定されていたオフセット電流と、カウンタのカウント値を、環境温度の変化に応じて変更することにより、環境温度が変化したとしても目標光量を維持することができる。なお、オフセット電流（０）及び（１）が設定された状態において、必要に応じてオフセット電流（２）を加えることで目標光量を維持することも可能である。
【００４９】
以上説明したように、本実施の形態では、従来のレーザドライバＩＣの機能を画像処理ＬＳＩ上でデジタル構成の等価回路により実現し、画像処理ＬＳＩの複数のポートを利用して所望の駆動電流をレーザに供給するようにしたので、レーザドライバＩＣ、及びレーザドライバＩＣに電源を供給するためのレギュレータを画像処理ＬＳＩとは別に用意する必要はなくなり、安価なレーザ駆動装置を実現することが可能となる。
【図面の簡単な説明】
【００５０】
【図１】本発明の実施の形態に係るレーザ駆動装置の概略構成を示すブロック図である。
【図２】レーザ駆動電流の設定方法の概要を説明するための図である。
【図３】レーザ駆動電流の設定方法の詳細を説明するためのタイミングチャートである。
【図４】従来のレーザ駆動装置の構成を示すブロック図である。
【図５】従来のレーザスキャナの構成を示す図である。
【図６】レーザ駆動用の各種の制御信号を示すタイミングチャートである（従来例と本発明の実施の形態とで共通）。
【符号の説明】
【００５１】
１…レーザドライバ回路内蔵画像処理ＬＳＩ
２…レーザ制御信号生成部
３…カウンタ
１１…８入力ＯＲゲート
１２…８入力ＡＮＤゲート
４０〜４７，５０〜５２…２入力ＡＮＤゲート
６０〜６７，７０〜７２…トライステート反転バッファ
８０〜８７，９０〜９２…抵抗器
１０４…半導体レーザ
１０６…パルス生成部
１１４…可変抵抗器
ＬＤ…レーザダイオード
ＰＤ…フォトダイオード
【図１】
2006110801.tif 000003
【図２】
2006110801.tif 000004
【図３】
2006110801.tif 000005
【図４】
2006110801.tif 000006
【図５】
2006110801.tif 000007
【図６】
2006110801.tif 000008